(57)【要約】【課題】製造コストの低減を図り、かつ様々な自動販売機に適用すること。【解決手段】収容庫１１Ｌ，１１Ｃ，１１Ｒの内部に収納した商品を冷凍サイクル４０の蒸発器４１による冷熱によって冷却するようにした自動販売機の冷却装置において、蒸発器４１を収容庫１１Ｌ，１１Ｃ，１１Ｒの外部に配設するとともに、当該収容庫１１Ｌ，１１Ｃ，１１Ｒの内部に熱交換フィン５０Ｌ，５０Ｃ，５０Ｒを配設し、これら蒸発器４１と熱交換フィン５０Ｌ，５０Ｃ，５０Ｒとの間をヒートパイプ５２Ｌ，５２Ｃ，５２Ｒによって接続するとともに、蒸発器４１とヒートパイプ５２Ｌ，５２Ｃ，５２Ｒとの間を着脱可能に接続するようにしている。【選択図】      図１
2004252558.tif 000002
【特許請求の範囲】
【請求項１】
収容庫の内部に収納した商品を冷凍サイクルの蒸発器による冷熱によって冷却するようにした自動販売機の冷却装置において、
前記蒸発器を収容庫の外部に配設するとともに、当該収容庫の内部に熱交換器を配設し、これら蒸発器と熱交換器との間を熱伝達手段によって接続したことを特徴とする自動販売機の冷却装置。
【請求項２】
前記蒸発器と前記熱伝達手段との間を着脱可能に接続したことを特徴とする請求項１に記載の自動販売機の冷却装置。
【請求項３】
収容庫の内部に収納した商品を冷凍サイクルの蒸発器による冷熱によって冷却するようにした自動販売機の冷却装置において、
前記蒸発器を収容庫の外部に配設するとともに、この蒸発器による冷熱を前記収容庫に導く導風通路を設けたことを特徴とする自動販売機の冷却装置。
【発明の詳細な説明】
【０００１】
【発明の属する技術分野】
本発明は、収容庫の内部に収納した商品を冷凍サイクルの蒸発器による冷熱よって冷却するようにした自動販売機の冷却装置に関するものである。
【０００２】
【従来の技術】
従来より、自動販売機においては、冷凍サイクルを用いて商品の冷却を行うのが一般的である。冷凍サイクルは、蒸発器、圧縮機、膨張器、凝縮器を備えて構成されたものである。このうち、冷熱源となる蒸発器に関しては、冷却対象となる商品を収納した収容庫の内部に配設されている一方、圧縮機、膨張器および凝縮器に関しては、収容庫の外部に配設されている。自動販売機が複数の収容庫を備えている場合には、各収容庫の内部にのみ個別の蒸発器を配設し、収容庫の外部に配設した圧縮機、膨張器および凝縮器をそれぞれの蒸発器で共用するようにしている。この場合、それぞれの蒸発器に対して冷媒を流通させる管路には、電磁弁が設けてあり、圧縮機、膨張器および凝縮器を共用しても、冷熱源として駆動する蒸発器を選択することができるようになっている（例えば、特許文献１参照）。
【０００３】
【特許文献１】
特開２００１−７６２３０号公報
【０００４】
【発明が解決しようとする課題】
ところで、自動販売機に設けられた複数の収容庫は、互いに同じ大きさに構成されているとは限らず、要求に応じて様々な容積を有する。例えば、５００ｍｌのペットボトル入り飲料を収容する収容庫（以下、単に収容庫Ａという）と、３５０ｍｌの缶入り飲料を収容する収容庫（以下、単に収容庫Ｂという）とでは、後者に対して前者が大きな容積を有するように構成されている。また、自動販売機における収容庫の配置態様も要求に応じて様々であり、収容庫Ａを正面向かって最も左側に配置する自動販売機もあれば、収容庫Ｂを正面向かって最も左側に配置するようにした自動販売機もある。
【０００５】
このように容積が異なる収容庫Ａ、Ｂに対しては、それぞれの内部に配設する蒸発器の大きさも互いに異なるものとなる。すなわち、容積の大きい収容庫Ａに大型の蒸発器ａを配設する一方、容積の小さい収容庫Ｂに小型の蒸発器ｂを配設することにより、自動販売機としての冷却性能が、それぞれの収容庫Ａ、Ｂでほぼ同じになるように設定されており、商品の冷却不足、あるいは過冷却を防止するようにしている。
【０００６】
ここで、収容庫の内部に配設した蒸発器と、収容庫の外部に配設した圧縮機および膨張器との間は、冷媒を流通させるための管路によって互いに接続されている。この管路は、自動販売機の各収容庫に設けたそれぞれの蒸発器の配置位置と、圧縮機および膨張機の配置位置とに応じて最適化された長さを有するものである。このため、たとえ自動販売機が２つの収容庫Ａと１つの収容庫Ｂとを有する点で共通するとしても、それぞれの配置態様が異なれば、両者で冷凍サイクルを共通化することが困難であり、専用の冷凍サイクルを用意する必要がある。例えば、収容庫がＡ、Ａ、Ｂと配置された自動販売機と、収容庫がＡ、Ｂ、Ａと配置された自動販売機とでは、蒸発器ａ、ｂに対する管路の長さが互いに相違することになり、個別の冷凍サイクルを用意しなければならない。
【０００７】
このように、従来の冷却装置にあっては、収容庫の構成に応じて個別の冷凍サイクルを用意しなければならないため、自動販売機の製造コストを増大する要因となっているのが実情である。
【０００８】
本発明は、上記実情に鑑みて、製造コストの低減を図り、かつ様々な自動販売機に適用することが可能な冷却装置を提供することを目的とする。
【０００９】
【課題を解決するための手段】
上記目的を達成するために、本発明の請求項１に係る自動販売機の冷却装置は、収容庫の内部に収納した商品を冷凍サイクルの蒸発器による冷熱によって冷却するようにした自動販売機の冷却装置において、前記蒸発器を収容庫の外部に配設するとともに、当該収容庫の内部に熱交換器を配設し、これら蒸発器と熱交換器との間を熱伝達手段によって接続したことを特徴とする。
【００１０】
また、本発明の請求項２に係る自動販売機の冷却装置は、上述した請求項１において、前記蒸発器と前記熱伝達手段との間を着脱可能に接続したことを特徴とする。
【００１１】
また、本発明の請求項３に係る自動販売機の冷却装置は、収容庫の内部に収納した商品を冷凍サイクルの蒸発器による冷熱によって冷却するようにした自動販売機の冷却装置において、前記蒸発器を収容庫の外部に配設するとともに、この蒸発器による冷熱を前記収容庫に導く導風通路を設けたことを特徴とする。
【００１２】
【発明の実施の形態】
以下に添付図面を参照して、本発明に係る自動販売機の冷却装置の好適な実施の形態について詳細に説明する。
【００１３】
（実施の形態１）
図１および図２は、本発明の実施の形態１である冷却装置を適用した自動販売機を示したものである。ここで例示する自動販売機は、缶入り飲料やペットボトル入り飲料等の商品を販売するためのもので、本体キャビネット１０、内扉２０および外扉３０を備えている。
【００１４】
本体キャビネット１０は、前面が開口した直方状を成すもので、その内部に複数、実施の形態１では３つの互いに独立した収容庫１１Ｌ，１１Ｃ，１１Ｒを有しているとともに、これら収容庫１１Ｌ，１１Ｃ，１１Ｒの外部において下方となる位置に唯一の機械室１２を有している。
【００１５】
収容庫１１Ｌ，１１Ｃ，１１Ｒは、缶入り飲料やペットボトル入り飲料を所望の冷却温度に維持した状態で収容する断熱性を有したもので、互いに異なる容積を有して構成してある。各収容庫１１Ｌ，１１Ｃ，１１Ｒの内部には、それぞれシュータ１３より上方となる商品収納室にコラム状の商品収納ラック１４が配設してある。商品収納ラック１４は、上下方向に沿って商品を収納したもので、利用者の購入操作に応じた商品販売指令が与えられた場合に最下位に収納した商品をシュータ１３に払い出すように機能する。この商品収納ラック１４としては、例えばサーペンタイン式と称される蛇行状に構成したものが一般的である。
【００１６】
機械室１２は、上述したそれぞれの収容庫１１Ｌ，１１Ｃ，１１Ｒで共通に使用する機械部品を収容するためのものである。具体的には、蒸発器４１、圧縮機４２、凝縮器４３、膨張器４４といった冷凍サイクル４０の構成部品、並びに庫外ファン４５を配設してある。
【００１７】
自動販売機の内扉２０および外扉３０は、それぞれ本体キャビネット１０の一側縁部に支承させてある。内扉２０は、本体キャビネット１０に設けた３つの収容庫１１Ｌ，１１Ｃ，１１Ｒの前面を覆うに十分な大きさを有したもので、断熱性の板状部材によって構成してある。外扉３０は、本体キャビネット１０の前面開口を開閉するためのもので、自動販売機の正面となる部分である。この外扉３０の前面には、図には明示していないが、販売商品の見本を表示するディスプレイウィンドウ、販売商品を選択するための選択ボタン、貨幣を投入するための貨幣投入口、払い出された商品を取り出すための商品取出口等々、商品の販売に必要となる構成が設けてある。
【００１８】
一方、上記自動販売機には、上述した収容庫１１Ｌ，１１Ｃ，１１Ｒの内部においてシュータ１３より下方となる熱交換室にそれぞれ熱交換フィン５０Ｌ，５０Ｃ，５０Ｒおよび庫内ファン５１Ｌ，５１Ｃ，５１Ｒを配設してある。
【００１９】
熱交換フィン５０Ｌ，５０Ｃ，５０Ｒは、熱交換器として機能するもので、例えば、図３に示すように、アルミニウム製のプレートを等間隔に多数積層して構成してある。それぞれの熱交換フィン５０Ｌ，５０Ｃ，５０Ｒは、個々の収容庫１１Ｌ，１１Ｃ，１１Ｒの容積に応じた大きさに構成してあり、上述の機械室１２に配設した蒸発器４１との間が個別のヒートパイプ（熱伝達手段）５２Ｌ，５２Ｃ，５２Ｒによって接続してある。各熱交換フィン５０Ｌ，５０Ｃ，５０Ｒから延在するヒートパイプ５２Ｌ，５２Ｃ，５２Ｒの先端部は、蒸発器４１に設けた装着孔４１ａＬ，４１ａＣ，４１ａＲに着脱可能に嵌着してある。
【００２０】
庫内ファン５１Ｌ，５１Ｃ，５１Ｒは、シュータ１３に設けた図示せぬ通気孔を通じて熱交換室の空気を商品収納室に供給する一方、背面ダクト１５を通じて商品収納室の空気を熱交換室に返却することにより、各収容庫１１Ｌ，１１Ｃ，１１Ｒの空気を循環させるものである。
【００２１】
上記のように構成した自動販売機では、例えば、冷凍サイクル４０を運転した状態で庫内ファン５１Ｌ，５１Ｃ，５１Ｒを駆動すると、収容庫１１Ｌ，１１Ｃ，１１Ｒの外部に配設した蒸発器４１による冷熱がヒートパイプ５２Ｌ，５２Ｃ，５２Ｒを通じて各収容庫１１Ｌ，１１Ｃ，１１Ｒの内部に配設した熱交換フィン５０Ｌ，５０Ｃ，５０Ｒに伝達され、該熱交換フィン５０Ｌ，５０Ｃ，５０Ｒにより冷却された熱交換室の空気が、シュータ１３の通気孔を通じて商品収納室に供給されるとともに、この商品収納室の空気が背面ダクト１５を通じて熱交換室に導出されることになり、商品収納室の商品収納ラック１４に収納した商品を冷却することが可能になる。
【００２２】
この場合、各収容庫１１Ｌ，１１Ｃ，１１Ｒに配設した熱交換フィン５０Ｌ，５０Ｃ，５０Ｒは、それぞれの容積に応じた大きさを有するものである。従って、自動販売機としての冷却性能がそれぞれの収容庫１１Ｌ，１１Ｃ，１１Ｒでほぼ同じとなるため、商品の冷却不足や過冷却が招来される虞れがなく、商品を常に最適の冷却温度に維持することができるようになる。
【００２３】
しかも、上記自動販売機の冷却装置によれば、各収容庫１１Ｌ，１１Ｃ，１１Ｒに配設した熱交換フィン５０Ｌ，５０Ｃ，５０Ｒと冷凍サイクル４０の蒸発器４１との間をヒートパイプ５２Ｌ，５２Ｃ，５２Ｒによって接続するようにしたものである。従って、蒸発器４１に対して大きさの異なる熱交換フィンを接続すれば、上述した作用効果を維持しつつ、収容庫の構成が異なる自動販売機に対して同一の冷凍サイクル４０を適用することが可能になる。つまり、自動販売機に設けられた収容庫の容積に応じて熱交換フィンを選択するとともに、これら熱交換フィンから適宜長さのヒートパイプを延在し、その先端部を蒸発器４１に接続すれば、収容庫の構成が異なる複数種の自動販売機に対して共通の冷凍サイクル４０を適用することが可能になり、自動販売機の製造コストを著しく低減することができるようになる。この場合、冷凍サイクル４０を共通化する自動販売機としては、必ずしも収容庫を３つ備えたものである必要はなく、２以下の収容庫を備えた自動販売機や４以上の収容庫を備えた自動販売機であっても構わない。
【００２４】
さらに、上述した自動販売機の冷却装置によれば、ヒートパイプ５２Ｌ，５２Ｃ，５２Ｒと冷凍サイクル４０の蒸発器４１との間を着脱可能に接続するようにしている。従って、これらヒートパイプ５２Ｌ，５２Ｃ，５２Ｒと蒸発器４１との接続状態を解除しさえすれば、商品、商品収納ラック１４、シュータ１３等、収容庫１１Ｌ，１１Ｃ，１１Ｒの内部に何らの手を加えることなく、蒸発器４１、圧縮機４２、凝縮器４３、膨張器４４といった冷凍サイクル４０の構成部品すべてをそのまま機械室１２から取り外すことが可能であり、冷凍サイクル４０のメンテナンス作業や交換作業をきわめて容易に、かつ短時間に行うことができる。これにより、冷凍サイクル４０のメンテナンス作業や交換作業による自動販売機の非稼働時間を最小限に抑え、商品の販売チャンスを逸する事態もきわめて小さいものとなる。
【００２５】
なお、上述した実施の形態１では、冷凍サイクル４０の蒸発器４１と各収容庫１１Ｌ，１１Ｃ，１１Ｒに配設した熱交換フィン５０Ｌ，５０Ｃ，５０Ｒとの間を直接ヒートパイプ５２Ｌ，５２Ｃ，５２Ｒによって接続するようにしているが、必ずしも直接接続する必要はない。例えば、図４に示すように、蒸発器４１と熱交換フィン５０Ｌ，５０Ｃ，５０Ｒとの間に、ヒートパイプ６１を通じて蒸発器４１の冷熱が伝達される熱交換ソケット６０を設けるとともに、この熱交換ソケット６０の装着孔６０ａＬ，６０ａＣ，６０ａＲに対して熱交換フィン５０Ｌ，５０Ｃ，５０Ｒのヒートパイプ５２Ｌ′，５２Ｃ′，５２Ｒ′を着脱可能に装着するようにしても構わない。この場合、熱交換ソケット６０は、収容庫１１Ｌ，１１Ｃ，１１Ｒの外部に配設することが好ましい。
【００２６】
また、上述した実施の形態１では、商品の冷却のみを行う自動販売機について例示しているが、必ずしもこれに限らない。例えば、図５に示すように、冷凍サイクル４０の蒸発器４１と各収容庫１１Ｌ，１１Ｃ，１１Ｒに配設した熱交換フィン５０Ｌ，５０Ｃ，５０Ｒとの間を接続するヒートパイプ５２Ｌ″，５２Ｃ″，５２Ｒ″にそれぞれ電磁弁５２ａＬ″，５２ａＣ″，５２ａＲ″を設け、これらの電磁弁５２ａＬ″，５２ａＣ″，５２ａＲ″を適宜開閉することにより、冷熱源として駆動する熱交換フィン５０Ｌ，５０Ｃ，５０Ｒを選択するようにしても良い。この場合、さらに収容庫の少なくとも一つ、例えば正面向かって左側の収容庫１１Ｌに加熱ヒータ５３を配設し、電磁弁５２ａＬ″，５２ａＣ″，５２ａＲ″を閉成した状態でこの加熱ヒータ５３を駆動すれば、収容庫１１Ｌにおいて商品の冷却と加熱とを切り換えることが可能となる。
【００２７】
（実施の形態２）
図６〜図８は、本発明の実施の形態２である冷却装置を適用した自動販売機を示したものである。ここで例示する自動販売機は、実施の形態１と同様に、缶入り飲料やペットボトル入り飲料等の商品を販売するためのもので、本体キャビネット７０を備えている。
【００２８】
本体キャビネット７０は、前面が開口した直方状を成すもので、その内部に複数、実施の形態２では３つの互いに独立した収容庫７１Ｌ，７１Ｃ，７１Ｒを有しているとともに、これら収容庫７１Ｌ，７１Ｃ，７１Ｒの下方となる位置に唯一の機械室７２を有している。
【００２９】
収容庫７１Ｌ，７１Ｃ，７１Ｒは、缶入り飲料やペットボトル入り飲料を所望の冷却温度に維持した状態で収容する断熱性を有したもので、互いに異なる容積を有して構成してある。各収容庫７１Ｌ，７１Ｃ，７１Ｒには、それぞれシュータ７３より上方となる商品収納室にコラム状の商品収納ラック７４が配設してある。商品収納ラック７４は、上下方向に沿って商品を収納したもので、利用者の購入操作に応じた商品販売指令が与えられた場合に最下位に収納した商品をシュータ７３に払い出すように機能する。この商品収納ラック７４としては、例えばサーペンタイン式と称される蛇行状に構成したものが一般的である。
【００３０】
機械室７２は、上述したそれぞれの収容庫７１Ｌ，７１Ｃ，７１Ｒで共通に使用する機械部品を収容するためのものである。具体的には、蒸発器８１、圧縮機８２、凝縮器８３、膨張器８４といった冷凍サイクル８０の構成部品、並びに庫外ファン８５を配設してある。
【００３１】
一方、上記自動販売機には、上述した機械室７２に導風通路９０を設けてある。導風通路９０は、各収容庫７１Ｌ，７１Ｃ，７１Ｒの背面側底壁に設けた個別の排気口７１ａＬ，７１ａＣ，７１ａＲから一旦集合した後、各収容庫７１Ｌ，７１Ｃ，７１Ｒの前面側底壁に設けた個別の吸気口７１ｂＬ，７１ｂＣ，７１ｂＲに分岐延在するもので、機械室７２の上部に着脱可能に配設してある。各収容庫７１Ｌ，７１Ｃ，７１Ｒに設けた吸気口７１ｂＬ，７１ｂＣ，７１ｂＲおよび排気口７１ａＬ，７１ａＣ，７１ａＲの開口面積、並びに導風通路９０において各収容庫７１Ｌ，７１Ｃ，７１Ｒの吸気口７１ｂＬ，７１ｂＣ，７１ｂＲおよび排気口７１ａＬ，７１ａＣ，７１ａＲに分岐延在する部分の断面積に関しては、それぞれが収容庫７１Ｌ，７１Ｃ，７１Ｒの容積に応じたものに構成してある。すなわち、容積の大きい収容庫７１Ｌ，７１Ｃ，７１Ｒに対しては、吸気口７１ｂＬ，７１ｂＣ，７１ｂＲおよび排気口７１ａＬ，７１ａＣ，７１ａＲの開口面積を大きく構成するとともに、これらに対して分岐延在する導風通路９０の断面積も大きく構成してある。
【００３２】
導風通路９０の中間部分には、上述した冷凍サイクル８０の蒸発器８１、並びに送風ファン８６が設けてある。送風ファン８６は、蒸発器８１を通過した後の空気を、吸気口７１ｂＬ，７１ｂＣ，７１ｂＲを通じてそれぞれの収容庫７１Ｌ，７１Ｃ，７１Ｒの熱交換室に供給し、さらにシュータ７３に設けた図示せぬ通気孔を通じて熱交換室の空気を商品収納室に供給する一方、背面ダクト７５および排気口７１ａＬ，７１ａＣ，７１ａＲを通じて商品収納室の空気を蒸発器８１に返却することにより、各収容庫７１Ｌ，７１Ｃ，７１Ｒの空気を循環させるものである。
【００３３】
なお、内扉２０および外扉３０等、その他の構成に関しては、実施の形態１と同様であるため、同一の符号を付してそれぞれの詳細説明を省略する。
【００３４】
上記のように構成した自動販売機では、例えば、冷凍サイクル８０を運転した状態で送風ファン８６を駆動すると、蒸発器８１による冷熱が導風通路９０および吸気口７１ｂＬ，７１ｂＣ，７１ｂＲを通じて各収容庫７１Ｌ，７１Ｃ，７１Ｒの熱交換室、さらには商品収納室に供給されるとともに、この商品収納室の空気が背面ダクト７５および排気口７１ａＬ，７１ａＣ，７１ａＲを通じて導風通路９０に導出されることになり、商品収納室の商品収納ラック７４に収納した商品を冷却することが可能になる。
【００３５】
この場合、各収容庫７１Ｌ，７１Ｃ，７１Ｒの空気を循環する吸気口７１ｂＬ，７１ｂＣ，７１ｂＲ、排気口７１ａＬ，７１ａＣ，７１ａＲおよび導風通路９０は、それぞれの容積に応じた大きさを有するものである。つまり、容積の大きい収容庫７１Ｌ，７１Ｃ，７１Ｒに対しては、容積の小さい収容庫７１Ｌ，７１Ｃ，７１Ｒよりも多くの冷熱が供給されるようになる。従って、自動販売機としての冷却性能がそれぞれの収容庫７１Ｌ，７１Ｃ，７１Ｒでほぼ同じとなるため、商品の冷却不足や過冷却が招来される虞れがなく、商品を常に最適の冷却温度に維持することができるようになる。
【００３６】
しかも、上記自動販売機の冷却装置によれば、収容庫７１Ｌ，７１Ｃ，７１Ｒの外部に配設した蒸発器８１による冷熱を導風通路９０によって収容庫７１Ｌ，７１Ｃ，７１Ｒの内部に分岐供給するようにしたものである。従って、収容庫の構成に応じた導風通路を設ければ、上述した作用効果を維持しつつ、収容庫の構成が異なる自動販売機に対して同一の冷凍サイクル８０を適用することが可能になる。つまり、容積に応じた断面積の導風通路をそれぞれの収容庫に設ければ、収容庫の構成が異なる複数種の自動販売機に対して共通の冷凍サイクル８０を適用することが可能になり、自動販売機の製造コストを著しく低減することができるようになる。この場合、冷凍サイクル８０を共通化する自動販売機としては、必ずしも収容庫を３つ備えたものである必要はなく、２以下の収容庫を備えた自動販売機や４以上の収容庫を備えた自動販売機であっても構わない。
【００３７】
さらに、上述した自動販売機の冷却装置によれば、機械室７２に対して導風通路９０を着脱可能に設けてある。従って、導風通路９０を取り外しさえすれば、商品、商品収納ラック７４、シュータ７３等、収容庫７１Ｌ，７１Ｃ，７１Ｒの内部に何らの手を加えることなく、蒸発器８１、圧縮機８２、凝縮器８３、膨張器８４といった冷凍サイクル８０の構成部品すべてを当該導風通路９０と共にそのまま機械室７２から取り外すことが可能であり、冷凍サイクル８０のメンテナンス作業や交換作業をきわめて容易に、かつ短時間に行うことができる。これにより、冷凍サイクル８０のメンテナンス作業や交換作業による自動販売機の非稼働時間を最小限に抑え、商品の販売チャンスを逸する事態もきわめて小さいなものとなる。
【００３８】
なお、上述した実施の形態２では、商品の冷却のみを行う自動販売機について例示しているが、必ずしもこれに限らない。例えば、図９に示すように、各収容庫７１Ｌ，７１Ｃ，７１Ｒの空気を循環する吸気口７１ｂＬ，７１ｂＣ，７１ｂＲおよび排気口７１ａＬ，７１ａＣ，７１ａＲにそれぞれ個別に駆動する吸気側開閉手段７２ｂＬ，７２ｂＣ，７２ｂＲおよび排気側開閉手段７２ａＬ，７２ａＣ，７２ａＲを設け、これらの開閉手段７２ｂＬ，７２ｂＣ，７２ｂＲ，７２ａＬ，７２ａＣ，７２ａＲを適宜開閉することにより、冷却対象とする収容庫７１Ｌ，７１Ｃ，７１Ｒを選択するようにしても良い。この場合、さらに収容庫の少なくとも一つ、例えば正面向かって左側の収容庫７１Ｌに加熱ヒータ９２および加熱用送風ファン９３を配設し、開閉手段７２ｂＬ，７２ａＬを閉成した状態で加熱ヒータ９２および加熱用送風ファン９３を駆動すれば、収容庫７１Ｌにおいて商品の冷却と加熱とを切り換えることが可能となる。
【００３９】
【発明の効果】
以上説明したように、本発明の請求項１に係る自動販売機の冷却装置によれば、蒸発器を収容庫の外部に配設するとともに、当該収容庫の内部に熱交換器を配設し、これら蒸発器と熱交換器との間を熱伝達手段によって接続するようにしているため、蒸発器に対して大きさの異なる熱交換器を接続すれば、収容庫の構成が異なる自動販売機に対して同一の冷凍サイクルを適用することが可能になり、自動販売機の製造コストを著しく低減することができるようになる。
【００４０】
また、本発明の請求項２に係る自動販売機の冷却装置によれば、蒸発器と熱伝達手段との間を着脱可能に接続しているため、これら蒸発器と熱伝達手段との接続状態を解除しさえすれば、商品、商品収納ラック、シュータ等、収容庫の内部に何らの手を加えることなく、蒸発器、圧縮機、凝縮器、膨張器といった冷凍サイクルの構成部品すべてを取り外すことが可能であり、冷凍サイクルのメンテナンス作業や交換作業をきわめて容易に、かつ短時間に行うことができる。
【００４１】
また、本発明の請求項３に係る自動販売機の冷却装置によれば、蒸発器を収容庫の外部に配設するとともに、この蒸発器による冷熱を収容庫に導く導風通路を設けるようにしているため、収容庫の構成に応じた導風通路を設ければ、収容庫の構成が異なる自動販売機に対して同一の冷凍サイクルを適用することが可能になり、自動販売機の製造コストを著しく低減することができるようになる。
【図面の簡単な説明】
【図１】本発明の実施の形態１である冷却装置を適用した自動販売機の断面側面図である。
【図２】図１に示した自動販売機の外扉および中扉を取り外した状態を示す正面図である。
【図３】図１に示した自動販売機に適用する冷却装置を概念的に示す斜視図である。
【図４】図３に示した冷却装置の変形例を概念的に示す斜視図である。
【図５】図２に示した冷却装置の変形例を概念的に示す正面図である。
【図６】本発明の実施の形態２である冷却装置を適用した自動販売機の断面側面図である。
【図７】図６に示した自動販売機の外扉および中扉を取り外した状態を示す正面図である。
【図８】図６に示した自動販売機の断面平面図である。
【図９】図６に示した冷却装置の変形例を示す断面側面図である。
【符号の説明】
１０      本体キャビネット
１１Ｌ，１１Ｃ，１１Ｒ      収容庫
１２      機械室
１３      シュータ
１４      商品収納ラック
１５      背面ダクト
２０      内扉
３０      外扉
４０      冷凍サイクル
４１      蒸発器
４１ａＬ，４１ａＣ，４１ａＲ      装着孔
４２      圧縮機
４３      凝縮器
４４      膨張器
４５      庫外ファン
５０Ｌ，５０Ｃ，５０Ｒ      熱交換フィン
５１Ｌ，５１Ｃ，５１Ｒ      庫内ファン
５２Ｌ，５２Ｃ，５２Ｒ      ヒートパイプ
６０      熱交換ソケット
６０ａＬ，６０ａＣ，６０ａＲ      装着孔
６１      ヒートパイプ
７０      本体キャビネット
７１Ｌ，７１Ｃ，７１Ｒ      収容庫
７１ａＬ，７１ａＣ，７１ａＲ      排気口
７１ｂＬ，７１ｂＣ，７１ｂＲ      吸気口
７２      機械室
７３      シュータ
７４      商品収納ラック
７５      背面ダクト
８０      冷凍サイクル
８１      蒸発器
８２      圧縮機
８３      凝縮器
８４      膨張器
８５      庫外ファン
８６      送風ファン
９０      導風通路
【図１】
2004252558.tif 000003
【図２】
2004252558.tif 000004
【図３】
2004252558.tif 000005
【図４】
2004252558.tif 000006
【図５】
2004252558.tif 000007
【図６】
2004252558.tif 000008
【図７】
2004252558.tif 000009
【図８】
2004252558.tif 000010
【図９】
2004252558.tif 000011